【事件の表示】
　特願２００８−２０９５１１「印刷装置および印刷装置の制御方法、並びに印刷システム」拒絶査定不服審判事件〔平成２２年　２月２５日出願公開、特開２０１０−　４２６３０〕について、次のとおり審決する。
【結　論】
　本件審判の請求は、成り立たない。
【理　由】
１．手続の経緯
　本件出願は、平成２０年８月１８日の出願であって、平成２５年３月１８日付け、及び同年１０月１０日付けで手続補正書が提出され、同年１１月２５日付けで拒絶の査定がなされ、これに対し、平成２６年１月９日付けで拒絶査定に対する審判請求がなされたものである。
　
２．本願発明
　本願の請求項１に係る発明は、上記の平成２５年１０月１０日に提出された手続補正によって補正された特許請求の範囲、明細書、及び図面の記載からみて、その特許請求の範囲の請求項１に記載された次のとおりのものと認める。
　「【請求項１】
　印刷データおよびカッタコマンドを含む印刷ジョブを送信する外部装置から、前記印刷ジョブを受信する印刷ジョブ受信手段と、
　前記印刷ジョブに含まれる前記印刷データに基づいて、長尺状の印刷媒体に印刷を行う印刷手段と、
　前記カッタコマンドにより、前記印刷媒体を幅方向にカットするカット手段と、
　前記カッタコマンドに基づき、前記カット手段によるカット動作と同期して、前記印刷媒体をカットした旨の報知を行う報知手段と、を備えたことを特徴とする印刷装置。」（以下「本願発明」という。）
 　 
２．引用例  
（１）引用例１
　原査定に係る平成２５年８月２９日付けの拒絶理由通知（２回目の拒絶理由通知）で引用された、本願の出願前である平成１７年１０月２７日に頒布された刊行物である特開２００５−３０１５０６号公報（以下「引用例１」という。）には、図面と共に次の事項が記載されている。（なお、下線は、後述する「引用発明１」の認定の根拠となった個所を示している。） 
ア．「【請求項１】
  決済処理の内容をレシート上に印刷するための第１印刷データを生成するＰＯＳ端末コンピュータと、
  前記第１印刷データの決済処理の内容に応じて、広告・販促情報を含む第２印刷データを生成する情報提供サーバと、
  
前記ＰＯＳ端末コンピュータと接続される第１ポート、および前記情報提供サーバと接続される第２ポートを有するインターフェース装置を有し、前記付加印刷データを付加した前記第１印刷データと、前記第２印刷データとに基づいて印刷を行う印刷装置
  
前記インターフェース装置は、
前記第ＰＯＳ端末コンピュータから受信した前記第１印刷データを前記印刷装置に転送して印刷指令を行うと共に、当該第１印刷データを前記情報提供サーバに転送する第１印刷データ処理手段と、
前記第１印刷データの中から前記レシート後端の切断を指令する用紙カットコマンドを認識したとき、当該用紙カットコマンドを一時的に保留すると共に、所定の印刷データを生成し、当該所定の印刷データを前記印刷装置に転送して印刷指令を行う用紙カットコマンド処理手段と、
前記情報提供サーバから前記第２印刷データを受信したとき、当該第２印刷データの後に前記用紙カットコマンドを付加して当該第２印刷データの印刷指令および当該用紙カットコマンドの処理指令を行う第２印刷データ処理手段と、を備え
  前記情報提供サーバは、
  前記インターフェース装置からの前記第１印刷データの受信に伴い、当該第１印刷データの分析結果に基づいて前記第２印刷データを生成する第２印刷データ生成手段と、
  生成した前記第２印刷データを前記インターフェース装置に送信する第２印刷データ送信手段と、を備えたことを特徴とする印刷システム。」
イ．「【請求項９】
  
前記インターフェース装置は、オペレータに対して印刷続行中である旨を報知するための報知手段をさらに備えており、
前記報知手段は、ＬＥＤによって構成されると共に、当該ＬＥＤは、前記第１印刷データの受信開始時から前記用紙カットコマンドの処理指令終了時まで点灯し続ける
ウ．「【背景技術】
【０００２】
  従来、スーパーやコンビニエンス・ストア等の小売業において用いられるＰＯＳシステム（販売時点情報管理システム）では、購入商品並びにその金額に関するいわゆる商品情報に、商品広告やイベント告知などの広告・販促情報を付加してレシート上に印刷可能なＰＯＳ端末コンピュータが広く利用されている。また、近年では広告・販促情報だけでなく、クーポン券や抽選券としての情報が付加される場合もあり、販売促進に有効な広告手段となっている。」
エ．「【発明が解決しようとする課題】
【０００６】
  ところが上記のＰＯＳシステムでは、情報提供サーバにおいて、印刷データを分析し、当該分析結果に基づいて広告・販促情報を生成する構成であるため、分析・情報生成のための時間を要する。したがって、印刷データの中から最終データを認識した時点ではまだ広告・販促情報の生成を完了しておらず、結果として印刷装置側では、商品情報の印刷終了から広告・販促情報の印刷開始まで数秒程度の待ち時間が生じてしまうことがあった。このため、例えば商品情報と広告・販促情報とが連続した（分断されていない）レシートを発行するような場合、オペレータは、広告・販促情報がまだ印刷されていないにも関わらず、商品情報の印刷終了時点で印刷終了であると判断してしまうことがある。また、待ち時間が長い場合は、オペレータがトラブルの発生と誤認し、広告・販促情報印刷終了時のオートカットを待たずに手動カットしてしまうといった問題もあった。」
オ．「【００２４】
  これらの場合、インターフェース装置は、オペレータに対して印刷続行中である旨を報知するための報知手段をさらに備えており、報知手段は、ＬＥＤによって構成されると共に、当該ＬＥＤは、第１印刷データの受信開始時から用紙カットコマンドの処理指令終了時まで点灯し続けることが好ましい。
【００２５】
  この構成によれば、オペレータは、ＬＥＤにより印刷続行中であるのか否かを確認することができる。これにより、第２印刷データの印刷開始までの待ち時間が長い場合でも、トラブルの発生と誤認してしまうことがない。」
カ．「【００５５】
  
印刷装置５０は、インターフェース装置５１が有する各部の他、印刷データや各種制御コマンドを受信する印刷受信部８１（受信バッファ８０）と、印刷受信部８１で受信した印刷データおよび各種制御コマンドに基づきレシート６１上に印刷を行う印刷部８２とを備えている
【００５６】
  インターフェース装置５１は、第２印刷データの付加を行う情報提供モードと、第２印刷データの付加を行わない非情報提供モードとのいずれかのモードを設定するモード設定部１５１と、オペレータに対して印刷続行中である旨を報知する報知部１５２と、ＰＯＳ端末コンピュータ４０からホスト側インターフェース４７およびホスト用インターフェース５２を介して第１印刷データ（付加印刷データおよび終了印刷データを含む）を受信したとき、付加印刷データおよび終了印刷データを除く第１印刷データを印刷部８２に転送して印刷指令を行うと共に情報提供サーバ７０に転送する第１印刷データ処理部１５３と（但し、情報提供サーバ７０への第１印刷データの転送は情報提供モードに設定された場合のみである。以下、特に記載しない場合は情報提供モードにおける処理について言及しているものとする。）、第１印刷データの中から用紙カットコマンドを認識したとき、当該用紙カットコマンドを一時的に保留すると共に、点線印刷データおよび付加印刷データの印刷指令を行う用紙カットコマンド処理部１５４と、情報提供サーバ７０から第２印刷データを受信したとき、当該第２印刷データの後に終了印刷データおよび用紙カットコマンドを付加して印刷指令および処理指令を行う第２印刷データ処理部１５５と、これら各部を制御する制御部１５６とを備えている。」
キ．「【００６１】
  また、制御部１５６は、モード設定部１５１（ディップスイッチ６３）により設定されたモードに従って、上記の第１印刷データ処理部１５３、用紙カットコマンド処理部１５４および第２印刷データ処理部１５５を実行する。さらに、印刷続行表示ランプ５６によって構成される報知部１５２により、ホスト用インターフェース５２への第１印刷データの受信開始時（または第１印刷データ処理部１５３の処理開始時）から、用紙カットコマンド処理部１５４の用紙カットコマンドの処理指令終了時まで点灯を行い、オペレータに対して印刷が続行している旨（終了していない旨）を報知する。」
ク．「【００６５】
  次に、図５の制御ブロック図を参照し、インターフェース装置５１の制御構成について説明する。同図に示すように、インターフェース装置５１は、上記のホスト用インターフェース５２、情報提供サーバ用インターフェース５４および印刷装置用インターフェース５８の他、動作表示ランプ５５、印刷続行表示ランプ５６、ディップスイッチ６３、ＣＰＵ９１、ＲＯＭ９２、ＲＡＭ９３を有し、互いに内部バス９４により接続されている。
【００６６】
  動作表示ランプ５５は、ＬＥＤにより構成され、インターフェース装置５１において何らかの処理が行われている場合点灯し、インターフェース装置５１にエラーが生じた場合、点滅するようになっている。また、印刷続行表示ランプ５６は、動作表示ランプ５５とは異なる表示色のＬＥＤにより構成され、インターフェース装置５１において処理が行われている間（第２印刷データの受信待機時間も含む）、すなわちＰＯＳ端末コンピュータ４１より第１印刷データの受信（または転送処理）を開始した時から、情報提供サーバ７０より受信した第２印刷データの後に用紙カットコマンドを付加し、その処理指令を終了するまで点灯し続ける。なお、情報提供サーバ７０より第２印刷データを受信しない場合（広告・販促情報テーブル内の商品コードに該当する商品コードが第１印刷データの中に含まれていない場合）は、ＰＯＳ端末コンピュータ４１より第１印刷データの受信を開始した時から、情報提供サーバ７０より第２印刷データの送信が無い旨を示す非送信ステータスデータを受信し、保留しておいた終了印刷データの印刷指令および用紙カットコマンドの処理指令を終了するまで点灯し続けることとなる。」 
　
　上記の記載事項を総合すると、引用例１には、次の発明（以下「引用発明１」という。）が記載されているものと認められる。
　「ＰＯＳ端末コンピュータと接続される第１ポート、および情報提供サーバと接続される第２ポートを有するインターフェース装置と、印刷データや各種制御コマンドを受信する印刷受信部８１（受信バッファ８０）と、印刷受信部８１で受信した印刷データおよび各種制御コマンドに基づきレシート６１上に印刷を行う印刷部８２とを有する印刷装置であって、
  前記インターフェース装置は、
  前記第ＰＯＳ端末コンピュータから受信した第１印刷データを前記印刷装置の印刷受信部８１（受信バッファ８０）に転送して印刷指令を行うと共に、当該第１印刷データを前記情報提供サーバに転送する第１印刷データ処理手段と、
  前記第１印刷データの中から前記レシート後端の切断を指令する用紙カットコマンドを認識したとき、当該用紙カットコマンドを一時的に保留すると共に、所定の印刷データを生成し、当該所定の印刷データを前記印刷装置の印刷受信部８１（受信バッファ８０）に転送して印刷指令を行う用紙カットコマンド処理手段と、
  前記情報提供サーバから第２印刷データを受信したとき、当該第２印刷データの後に前記用紙カットコマンドを付加して当該第２印刷データの印刷指令および当該用紙カットコマンドの処理指令を行う第２印刷データ処理手段と、
  オペレータに対して印刷続行中である旨を報知するための報知手段とを備えており、
  前記報知手段は、ＬＥＤによって構成されると共に、当該ＬＥＤは、前記第１印刷データの受信開始時から前記用紙カットコマンドの処理指令終了時まで点灯し続ける
　印刷装置。」
　
（２）引用例２
　同じく原査定の拒絶理由で引用された、本願の出願前の平成３年９月３日に頒布された刊行物である特開平３−２０１１９２号公報（以下「引用例２」という。）には、図面と共に次の事項が記載されている。（下線は、後述する「引用発明２」の認定の根拠となった個所を示している。）
ケ．「
レシート等の印刷用紙を自動的に切断する印刷用紙切断手段が配設されたプリンタを備えたキャッシュレジスタにおいて、前記印刷用紙切断手段による前記印刷用紙の切断終了時に切断終了信号を発生する切断終了信号発生手段を設け、この切断終了信号発生手段により発生した切断終了信号に基づき前記印刷用紙の切断終了を報知する切断終了報知手段を設けた
キャッシュレジスタにおける印刷用紙の切断終了報知装置
コ．「産業上の利用分野
　本発明は、印刷用紙を自動的に切断する印刷用紙切断手段を有し、装置単体で、また、
ＰＯＳシステム等に組み込まれて使用されるキャッシュレジスタにおける印刷用紙の切断終了報知装置
サ．「発明が解決しようとする課題
　このような従来のキャッシュレジスタでは、締めキーが押下されてからプリンタ用紙が切断されるまでの間には上述のような所定の動作が行われるので、キャッシャーは、締めキーを押下した後、カッターが動作する音、または、レシートが切断される音等の機械音を聞くことによりレシートの切断が終了したことを認知し、この後にレシートを手に取る。
　一方、カッターが動作すると同時に印字ヘッドが動作する場合がある。
　このため、レシートの切断が終了したことをその切断時に発生する機械音により認知することは困難であり、さらに、この認知を誤った場合等、切断が終了する前にレシートを引っ張った場合には、レシートの一部が引き出されて紙づまり、または、印字不良等が発生することがある。」（第１頁右下欄第１７行〜第２頁左上欄第１５行）
シ．「このような構成において、第５図に示すように、締めキーを押下し、レシート用紙７ｄへの売上合計金額等の印字が終了したとき、プリンタコントローラ７ａはプリンタ７へのフィード信号をオンにして搬送ローラ７ｆを回転させ、レシート用紙７ｄを所定行数だけフィードさせる。さらに、プリンタコントローラ７ａはプリンタ７へのカット信号をオンにしてソレノイドを駆動させる。このとき、アーム７ｈ２が回動し、カッタ一部７ｈ３によりレシート用紙７ｄが切断される。そして、カッター７ｈが復帰したとき、カッター復帰検出スイッチがオンになり、プリンタコントローラ７ａへのカッター復帰信号がオンになる。このカッター復帰信号が出力されたプリンタコントローラ７ａはブザー７ｂを動作させ、このブザー音によってレシートの切断が終了したことをオペレータに知らせる。
　このように、
レシート用紙７ｄの切断が終了したことを、ブザー７ｂのブザー音により、容易に、且つ、確実に知ることができ
ス．「発明の効果
　本発明は上述のように、レシート等の印刷用紙を自動的に切断する印刷用紙切断手段が配設されたプリンタを備えたキャッシュレジスタにおいて、前記印刷用紙切断手段による前記印刷用紙の切断終了時に切断終了信号を発生する切断終了信号発生手段を設け、この切断終了信号発生手段により発生した切断終了信号に基づき前記印刷用紙の切断終了を報知する切断終了報知手段を設けたので、
印刷用紙の切断が終了したことを、容易に、且つ、確実に知ることができ
　
　上記の記載事項を総合すると、引用例２には、次の発明（以下「引用発明２」という。）が記載されているものと認められる。
　「ＰＯＳシステム等に組み込まれて使用されるレシート等の印刷用紙を自動的に切断する印刷用紙切断手段が配設されたプリンタを備えたキャッシュレジスタにおいて、前記印刷用紙切断手段による前記印刷用紙の切断終了時に切断終了信号を発生する切断終了信号発生手段を設け、この切断終了信号発生手段により発生した切断終了信号に基づき前記印刷用紙の切断終了を報知する切断終了報知手段を設けたことにより、印刷用紙の切断が終了したことを、ブザー音により、容易に、且つ、確実に知ることができるキャッシュレジスタにおける印刷用紙の切断終了報知装置。」　
 　 
３．対比  
（１）本願発明と引用発明１とを対比する。
　引用発明１の「用紙カットコマンド」は、本願発明の「カッタコマンド」に相当しており、引用発明１では「第１印刷データの中からレシート後端の切断を指令する用紙カットコマンドを認識」としているから、上記の「第１印刷データ」は用紙カットコマンドを含むものであって、本願発明でいう「印刷データおよびカッタコマンドを含む印刷ジョブ」に相当する。
　また、引用発明１の「ＰＯＳ端末コンピュータ」、「インターフェース装置」は、それぞれ本願発明の「印刷ジョブを送信する外部装置」、「印刷ジョブを受信する印刷ジョブ受信手段」に相当する。
　また、引用発明１における用紙カットコマンドに基づいて「切断」される前の「レシート」用紙は、「長尺状の印刷媒体」であることは明らかであるから、引用発明１の「印刷受信部８１で受信した印刷データおよび各種制御コマンドに基づきレシート６１上に印刷を行う印刷部８２」は、本願発明の「印刷ジョブに含まれる印刷データに基づいて、長尺状の印刷媒体に印刷を行う印刷手段」に相当する。
　また、引用発明１における「用紙カットコマンド」は、「レシート後端の切断を指令する」から、引用発明１の印刷装置にも、本願発明の「カッタコマンドにより、印刷媒体を幅方向にカットするカット手段」が備えられていることは明らかである。
　また、引用発明１における「報知手段」は、「ＬＥＤによって構成されると共に、当該ＬＥＤは、第１印刷データの受信開始時から用紙カットコマンドの処理指令終了時まで点灯し続ける」ものであり、用紙カットコマンドの処理指令によって、カット手段によるカット動作（切断）が行われることは明らかであるから、引用発明１における「報知手段」は、「用紙カットコマンドに基づき、カット手段によるカット動作と同期して、印刷続行中である旨の報知を終了させる」ものといえる。してみると、引用発明１の「報知手段」と本願発明の「報知手段」とは、「カット手段によるカット動作と同期して、作動する」との概念で、共通するものである。
　（２）上記の対比から、本願発明と引用発明１との間の一致点及び相違点は、次のとおりのものと認める。　  
　「印刷データおよびカッタコマンドを含む印刷ジョブを送信する外部装置から、前記印刷ジョブを受信する印刷ジョブ受信手段と、
　前記印刷ジョブに含まれる前記印刷データに基づいて、長尺状の印刷媒体に印刷を行う印刷手段と、
　前記カッタコマンドにより、前記印刷媒体を幅方向にカットするカット手段と、
　前記カッタコマンドに基づき、前記カット手段によるカット動作と同期して、作動する報知手段と、
を備えた印刷装置。」である点。  
　［相違点］
　カット動作と同期した報知手段の作動が、本願発明では「印刷媒体をカットした旨の報知を行う」のに対して、引用発明１では「ＬＥＤ（報知手段）は、第１印刷データの受信開始時から用紙カットコマンドの処理指令終了時まで点灯し続ける（つまり「印刷続行中である旨の報知を終了させる」）点。
　
４．当審の判断 
（１）上記の相違点について検討する。
　引用発明２の「レシート等の印刷用紙を自動的に切断する印刷用紙切断手段」、「プリンタ」、は、それぞれ本願発明の「印刷媒体を幅方向にカットするカット手段」、「印刷装置」に相当する。
　また、引用発明２における「印刷用紙の切断終了報知装置」は、「印刷用紙の切断終了を報知する」ものであるから、本願発明における「印刷媒体をカットした旨の報知を行う報知手段」に相当する。
　してみると、引用発明２は、相違点１に係る本願発明の発明特定事項を備えている。
　ところで、引用発明１は、「待ち時間が長い場合は、オペレータがトラブルの発生と誤認し、広告・販促情報印刷終了時のオートカットを待たずに手動カットしてしまうといった問題」（記載事項エ）を解決するために、「ＬＥＤ（報知手段）は、第１印刷データの受信開始時から用紙カットコマンドの処理指令終了時まで点灯し続ける」ものであって、言い換えれば、報知手段による報知を終了させることによって、オペレータは、レシート上の印刷と共に、カットが終了したことを認識できるものといえる。してみると、引用発明１は、カットが終了したことを報知しているということが示唆されていると解することができる。
　また、引用発明１は、上記の課題に確実に対処するため、報知手段（ＬＥＤ）が、第１印刷データの受信開始時から用紙カットコマンドの処理指令終了時まで点灯し続ける」ことにとどまらず、引用発明２のように、印刷用紙の切断が終了したことを、印刷用紙の切断終了報知装置により、確実に知ることができるのが望ましいことは明らかである。
　また、引用発明１と引用発明２とは、印刷媒体の発行をリアルタイムに報知するという共通の課題を備えているといえる。
　してみると、引用発明１に引用発明２を適用することは、当業者が容易に想到し得るものである。
　したがって、引用発明１において、引用発明２を適用することにより、相違点１に係る本願発明の発明特定事項とすることは、当業者が容易に想到し得るものである。
　
　そして、本願発明の全体構成によって奏される効果も、引用発明１、及び引用発明２から当業者が予測し得る範囲内のものである。
　
５．むすび 
　以上のとおり、本願発明は、引用発明１及び引用発明２に基いて当業者が容易に発明をすることができたものであり、本願発明については、特許法２９条第２項の規定により特許を受けることができないから、本願の他の請求項に係る発明について検討するまでもなく、本願は拒絶すべきものである。 
　
　よって、結論のとおり審決する。